【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
電子機器を内部に設置するラックを並べて配置されたラック列が形成されて、２列の前記ラック列の排気面同士を向かい合わせて配置されたラック群が形成された部屋において、
前記ラック群に低温空気を供給する複数の冷却装置と、
前記ラック群に吸い込まれる低温空気の吸込温度を計測する温度計測装置と、
前記複数の冷却装置の各冷却装置の起動または停止を判定する制御装置と、を備え、
前記制御装置は、
前記温度計測装置の計測点が計測対象とする前記ラック群へ供給される低温空気の風量比が高い冷却装置を演算し、
前記演算の結果に基づいて各冷却装置の起動または停止を判定する
ことを特徴とする冷却システム。
【請求項２】
前記制御装置は、
各ラック群と各冷却装置との距離、および、各冷却装置の運転状態の関数として、ある冷却装置からあるラック群へ供給される低温空気の風量比を算出する近似式を有し、
前記温度計測装置で計測した温度の最大値が第１閾値よりも高い場合、
各冷却装置から温度が最大値となるラック群へ供給される低温空気の風量比を前記近似式によって算出し、
前記算出した風量比が最も高い前記冷却装置を起動すると判定する
ことを特徴とする請求項１に記載の冷却システム。
【請求項３】
前記制御装置は、
前記温度計測装置で計測した温度の最大値が第１閾値よりも低く、かつ、前記温度計測装置で計測した温度の最小値が第２閾値よりも低い場合、
各冷却装置から温度が最小値となるラック群へ供給される低温空気の風量比を前記近似式によって算出し、
前記算出した風量比が最も高い前記冷却装置を停止すると判定する
ことを特徴とする請求項２に記載の冷却システム。
【請求項４】
前記電子機器の近傍に設置して前記電子機器の発熱を局所的に冷却する複数の局所冷却装置をさらに備える
ことを特徴とする請求項１に記載の冷却システム。
【請求項５】
前記制御装置は、
各ラック群と各冷却装置との距離、各ラック群と各局所冷却装置との距離、各冷却装置の運転状態、および、各局所冷却装置の運転状態の関数として、ある冷却装置からあるラック群へ供給される低温空気の風量比を算出する近似式を有し、
前記温度計測装置で計測した温度の最大値が第１閾値よりも高い場合、
各冷却装置から温度が最大値となるラック群へ供給される低温空気の風量比を前記近似式によって算出し、
前記算出した風量比が最も高い前記冷却装置を起動すると判定する
ことを特徴とする請求項４に記載の冷却システム。
【請求項６】
前記制御装置は、
前記温度計測装置で計測した温度の最大値が第１閾値よりも低く場合、かつ、前記温度計測装置で計測した温度の最小値が第２閾値よりも低い場合、
各冷却装置から温度が最小値となるラック群へ供給される低温空気の風量比を前記近似式によって算出し、  前記算出した風量比が最も高い前記冷却装置を停止すると判定する
ことを特徴とする請求項５に記載の冷却システム。
【請求項７】
前記制御装置は、
停止すると判定した前記冷却装置が、前回の動作で起動した前記冷却装置である場合、
前記冷却装置を停止しないと判定する
ことを特徴とする請求項３または請求項６に記載の冷却システム。
【請求項８】
電子機器を内部に設置するラックを並べて配置されたラック列が形成されて、２列の前記ラック列の排気面同士を向かい合わせて配置されたラック群が形成された部屋において、前記ラック群に低温空気を供給する複数の冷却装置を制御する空調制御装置であって、
前記ラック群に吸い込まれる低温空気の吸込温度を計測する温度計測装置の計測点が計測対象とする前記ラック群へ供給される低温空気の風量比が高い冷却装置を演算し、
前記演算の結果に基づいて各冷却装置の起動または停止を判定する
ことを特徴とする空調制御装置。
【請求項９】
電子機器を内部に設置するラックを並べて配置されたラック列が形成されて、２列の前記ラック列の排気面同士を向かい合わせて配置されたラック群が形成された部屋において、前記ラック群に低温空気を供給する複数の冷却装置と、前記ラック群に吸い込まれる低温空気の吸込温度を計測する温度計測装置と、各冷却装置の起動または停止を判定する制御装置と、を備える冷却システムの空調制御方法であって、
前記制御装置は、
前記温度計測装置で計測した温度の最大値が第１閾値よりも高い場合、
各冷却装置から温度が最大値となるラック群へ供給される低温空気の風量比を近似式によって算出し、前記算出した風量比が最も高い前記冷却装置を起動すると判定し、
前記温度計測装置で計測した温度の最大値が第１閾値よりも低く、かつ、前記温度計測装置で計測した温度の最小値が第２閾値よりも低い場合、
各冷却装置から温度が最小値となるラック群へ供給される低温空気の風量比を前記近似式によって算出し、前記算出した風量比が最も高い前記冷却装置を停止すると判定する
ことを特徴とする空調制御方法。
【手続補正２】
【補正対象書類名】明細書
【補正対象項目名】０００８
【補正方法】変更
【補正の内容】
【０００８】
そこで、本発明は、少ない計測点数で省エネ化を実現する冷却システム、空調制御装置および空調制御方法を提供することを課題とする。
【手続補正３】
【補正対象書類名】明細書
【補正対象項目名】００１１
【補正方法】変更
【補正の内容】
【００１１】
また、本発明に係る空調制御方法は、電子機器を内部に設置するラックを並べて配置されたラック列が形成されて、２列の前記ラック列の排気面同士を向かい合わせて配置されたラック群が形成された部屋において、前記ラック群に低温空気を供給する複数の冷却装置と、前記ラック群に吸い込まれる低温空気の吸込温度を計測する温度計測装置と、各冷却装置の起動または停止を判定する制御装置と、を備える冷却システムの空調制御方法であって、前記制御装置は、前記温度計測装置で計測した温度の最大値が第１閾値よりも高い場合、各冷却装置から温度が最大値となるラック群へ供給される低温空気の風量比を近似式によって算出し、前記算出した風量比が最も高い前記冷却装置を起動すると判定し、前記温度計測装置で計測した温度の最大値が第１閾値よりも低く、かつ、前記温度計測装置で計測した温度の最小値が第２閾値よりも低い場合、各冷却装置から温度が最小値となるラック群へ供給される低温空気の風量比を前記近似式によって算出し、前記算出した風量比が最も高い前記冷却装置を停止すると判定することを特徴とする
【手続補正４】
【補正対象書類名】明細書
【補正対象項目名】００１２
【補正方法】変更
【補正の内容】
【００１２】
本発明によれば、少ない計測点数で省エネ化を実現する冷却システム、空調制御装置および空調制御方法を提供することができる。
【手続補正５】
【補正対象書類名】明細書
【補正対象項目名】００１８
【補正方法】変更
【補正の内容】
【００１８】
第１実施形態に係る冷却システムＳは、冷却装置２０と、温度センサ３０（温度計測装置）と、制御装置４０と、を備えている。
【手続補正６】
【補正対象書類名】明細書
【補正対象項目名】００２１
【補正方法】変更
【補正の内容】
【００２１】
各コールドアイルＣＡには、温度センサ３０が設置され、ラック１０の給気面からラック１０の内部に吸込まれる低温空気の温度を計測することができるようになっている。温度センサ３０の検出信号は、制御装置４０に出力される。